(57)【要約】      （修正有）【課題】プラスチックキャップ／注出口栓に比べて、環境負荷も小さく、簡単で安価な構造で容器の開封・再栓を可能にし、注ぎ易い包装容器を提供する。【解決手段】頂壁２６に開口３１及び開口に設けられた注出口を有する包装容器であって、注出口が、折畳まれた注出口パネルから形成され、注出口パネルが、開口を覆い、注出流路を形成する流路パネル３４と、流路パネルの両側に隣接し、流路の側壁を形成する２枚の側壁パネル３５と、流路パネルの下端に隣接し、注出口を下端で容器器壁に接合させる下端シールパネル３６と、側壁パネルそれぞれの下側端に隣接し、注出口を側方で頂壁２６に接合させる２枚の側方シールパネル３７とからなり、注出口パネルが、下端シールパネルが開口の下方で容器器壁２５に接合させ、側方シールパネルが開口を側方で頂壁に接合させ、側壁パネルを中央で折畳んで流路パネルを開口の上に覆って形成される。【選択図】図１
2012144297.tif 000002
【特許請求の範囲】
【請求項１】
ウェブ状包装材料の縦線シールによるチューブ状成形、該チューブ状包装材料内への充填、該チューブ状包装材料の横断方向への横線シール、枕状包装体の成形、該枕状包装体の個々の切断、折目線に沿って折畳んで頂壁、側壁及び底壁を持ち、形成されたフィン及びフラップを上記壁へ付けて最終形状への成形により得られ、該頂壁に開口及び該開口に設けられた注出口を有する包装容器であって、
該注出口が、折畳まれた注出口パネルから形成され、
該注出口パネルが、該開口を覆い、注出流路を形成する流路パネルと、該流路パネルの両側に隣接し、該流路の側壁を形成する２枚の側壁パネルと、該流路パネルの下端に隣接し、該注出口を下端で容器器壁に接合させる下端シールパネルと、該側壁パネルそれぞれの下側端に隣接し、該注出口を側方で該頂壁に接合させる２枚の側方シールパネルとからなり、
該注出口パネルが、該下端シールパネルが該開口の下方で該容器器壁に接合させ、該側方シールパネルが該開口を側方で該頂壁に接合させ、該側壁パネルを中央で折畳んで該流路パネルを該開口の上に覆って形成されることを特徴とする包装容器。
【請求項２】
該流路パネルが、上端に、注出時に流路パネルの傾斜角より大きい傾斜角を持つ流路補助パネルを備え、流路補助パネルが再封止時に折畳まれたフィンに係止される、請求項１記載の包装容器。
【請求項３】
該流路パネルが、両方の下端から中央の上端に向けて、少なくとも２本の折目線を備え、注出時に該流路パネルが断面V字状に形成される、請求項１記載の包装容器。
【請求項４】
該流路パネルが該開口を上方からシールし、インナーテープが開口を下からシールし、該開口内で該流路パネル下面と該インナーテープとが溶着して、該容器開口を封止する、請求項１記載の包装容器。
【請求項５】
該流路パネルがプルタブフイルムを上方から覆い、該プルタブフイルムが該開口を上からシールし、該インナーテープが該開口を下からシールし、開口内で該プルタブフイルムと該インナーテープとが溶着して、容器開口を封止する、請求項１記載の包装容器。
【請求項６】
該ウェブ状包装材料が紙基材を含む積層体であり、該注出口パネルは、紙基材を含む積層体である、請求項１記載の包装容器。
【発明の詳細な説明】
【技術分野】
【０００１】
本発明は、牛乳、ジュース、アルコール飲料、ミネラルウォータ、緑茶などを充填する注出口付き包装容器の製造方法及びその包装容器に関するに関する。
【背景技術】
【０００２】
柔軟性に富んだ紙製包装積層材料は多年にわたって液体食品を包装するために用いられてきた。牛乳、ジュース、清酒、焼酎、ミネラルウォーター及びその他飲料のための図１４（Ａ）に示すような包装容器２０は、例えば、繊維質基材（例えば、紙など）／プラスチック積層体に折目線が付けられたウェブ状包装積層材料を、その長手方向の縦線シールによりチューブ状に成形し、チューブ状に成形された包装材料内に被充填物を充填し、チューブ状包装材料を横断方向に横線シールし、クッション形若しくは枕状の包装体（一次形状容器）に成形する。
枕状の包装体を横シール部分で容器１個分ごとに切断し、最終成形工程で、折目線に沿って山折り若しくは谷折に、フィン２１及びフラップ２２を折畳んで、図１４（Ａ）に示すレンガ状の容器２０が成形される。
また、図１４（Ｂ）に示す頂壁が、屋根型の容器２０は、最終成形工程で、別の折畳みによって、フィン２１及びフラップ２２を折畳んで成形される。
更に、図１４（C）に示す頂壁が、片流れ屋根型の容器２０は、最終成形工程で、別の折畳みによって、フィン２１及びフラップ２２を折畳んで成形される。
【０００３】
ゲーブルトップ状（屋根型）の紙製包装容器では、紙製包装材料を所定の形状に切断し、容器縦方向にシールしたブランクスを得、充填機内でブランクスの底をシールした後に上部開口から牛乳、ジュース又はその他の飲料の被充填物を充填し、上部をシールして得られる。これらの包装材料には、その表面に包装容器製品の外観デザインが印刷される。
【０００４】
容器の注出口は、前もって注出口栓を成形し、容器へ若しくは容器成形前の包装材料へ、その容器若しくはその包装材料に穿孔された注出孔に内側から挿入して超音波シール、ホットメルト、ヒートシールなどで溶着して若しくは注出孔外側へ当てて溶着する方法で、又は、紙容器用の包装材料に穿孔された注出孔へ射出成形によって注出口栓を直接に成形して装着しその包装材料から容器に成形する方法で、更に、図１４（Ａ）に示すように、容器頂壁に、開口を穿孔し内側からインナーテープと外側からプルタブフィルム２３をヒートシールして注出口２４を形成する方法で、装着される。（特許文献１及び２、３参照）
【先行技術文献】
【特許文献】
【０００５】
【特許文献１】実開昭６３-８６０２１号公報
【特許文献２】特開平０８-１８３５５５号公報
【特許文献３】国際公開ＷＯ２００９／０００９２７号公報
【発明の概要】
【発明が解決しようとする課題】
【０００６】
本発明の目的は、プラスチックキャップ／注出口栓に比べて、環境負荷も小さく、簡単で安価な構造で容器の開封・再栓を可能にし、注ぎ易い包装容器を提供することである。
【課題を解決するための手段】
【０００７】
本発明の包装容器は、ウェブ状包装材料の縦線シールによるチューブ状成形、チューブ状包装材料内への充填、チューブ状包装材料の横断方向への横線シール、枕状包装体の成形、枕状包装体の個々の切断、折目線に沿って折畳んで頂壁、側壁及び底壁を持ち、形成されたフィン及びフラップを上記壁へ付けて最終形状への成形により得られ、頂壁に開口及び開口に設けられた注出口を有する包装容器であって、
注出口が、折畳まれた注出口パネルから形成され、
注出口パネルが、開口を覆い、注出流路を形成する流路パネルと、流路パネルの両側に隣接し、流路の側壁を形成する２枚の側壁パネルと、流路パネルの下端に隣接し、注出口を下端で容器器壁に接合させる下端シールパネルと、側壁パネルそれぞれの下側端に隣接し、注出口を側方で頂壁に接合させる２枚の側方シールパネルとからなり、
注出口パネルが、下端シールパネルが開口の下方で容器器壁に接合させ、側方シールパネルが開口を側方で頂壁に接合させ、側壁パネルを中央で折畳んで流路パネルを開口の上に覆って形成されることを特徴とする。
【０００８】
この発明の好ましい態様において、流路パネルが、上端に、注出時に流路パネルの傾斜角より大きい傾斜角を持つ流路補助パネルを備え、流路補助パネルが再封止時に折畳まれたフィンに係止される。
【０００９】
この発明の好ましい態様において、流路パネルが、両方の下端から中央の上端に向けて、少なくとも２本の折目線を備え、注出時に流路パネルが断面V字状に形成される。
【００１０】
この発明の好ましい態様において、流路パネルが開口を上方からシールし、インナーテープが開口を下からシールし、開口内で流路パネル下面とインナーテープとが溶着して、容器開口を封止する。
【００１１】
この発明の好ましい態様において、流路パネルプルタブフイルムを上方から覆い、プルタブフイルムが開口を上からシールし、インナーテープが開口を下からシールし、開口内でプルタブフイルムとインナーテープとが溶着して、容器開口を封止する。
【発明の効果】
【００１２】
上記構成の本発明によれば、以下の作用機能を発揮し、有利な効果が得られる。
【００１３】
本発明の包装容器は、ウェブ状包装材料の縦線シールによるチューブ状成形、チューブ状包装材料内への充填、チューブ状包装材料の横断方向への横線シール、枕状包装体の成形、枕状包装体の個々の切断、折目線に沿って折畳んで頂壁、側壁及び底壁を持ち、形成されたフィン及びフラップを上記壁へ付けて最終形状への成形により得られ、頂壁に開口及び開口に設けられた注出口を有する包装容器である。
また、注出口が、折畳まれた注出口パネルから形成され、
包装容器の側壁、頂壁には、フィン及びフラップが形成されるので、この発明による、パネルを折畳んで形成される注出口では、パネル又はパネル片を引っ掛けることができ、封止、再封止の際に、係止部分として利用することができる。
ウェブ状包装材料が紙主体の材料であり、注出口のパネルも、同種の紙主体の材料を使用すれば、環境負荷を低減し、また、廃棄物回収の際も分別回収が容易になる。
【００１４】
この発明の特徴において、注出口パネルが、開口を覆い、注出流路を形成する流路パネルと、流路パネルの両側に隣接し、流路の側壁を形成する２枚の側壁パネルと、流路パネルの下端に隣接し、注出口を下端で容器器壁に接合させる下端シールパネルと、側壁パネルそれぞれの下側端に隣接し、注出口を側方で頂壁に接合させる２枚の側方シールパネルとからなる。
注出口パネルが、下端シールパネルが開口の下方で容器器壁に接合させ、側方シールパネルが開口を側方で頂壁に接合させ、側壁パネルを中央で折畳んで流路パネルを開口の上に覆って形成される。
注出口の使用時は、流路パネルの上部、又は上端の部分を把持して持ち上げ、開口上の覆い（流路パネル）を取り、引き上げる。それと同時に、折畳まれて平坦な側壁パネルそれぞれが広がって立ち上がっていく。流路パネルを引き上げると、側壁パネルが流路の側壁を形成すると共に、流路も形成される。
下端シールパネルが、流路パネルの下端をシールし、側方シールパネルが、側壁パネル下部と頂壁とをシールして、必要なシールを得る。
【００１５】
好ましい態様において、流路パネルが、上端に、注出時に流路パネルの傾斜角より大きい傾斜角を持つ流路補助パネルを備え、流路補助パネルが再封止時に折畳まれたフィンに係止される。
流路補助パネル、注出時に流路パネルの傾斜角より大きい傾斜角を持つので、内容溶液が、注出時に流路パネルから流路補助パネルを経て乱れることなく、注ぐことができる。
流路補助パネルが再封止時に折畳まれたフィンに係止されるので、流路パネルで確実に開口を覆うことができる。
【００１６】
好ましい態様において、流路パネルが、両方の下端から中央の上端に向けて、少なくとも２本の折目線を備え、注出時に流路パネルが断面V字状に形成される。
２本の折目線を折って、注出時に流路パネルを断面V字状に形成して、内容液が跳ねることなく整流で注ぐことができる。
【００１７】
好ましい態様において、流路パネルが開口を上方からシールし、インナーテープが開口を下からシールし、開口内で流路パネル下面とインナーテープとが溶着して、容器開口を封止する。
開口内で流路パネル下面とインナーテープとが溶着しているので、開封時に流路パネルを引き上げるだけの、ワンアクションで開封が可能となる。
【００１８】
好ましい態様において、流路パネルをプルタブフイルムを上方から覆い、プルタブフイルムが開口を上からシールし、インナーテープが開口を下からシールし、開口内でプルタブフイルムとインナーテープとが溶着して、容器開口を封止する。
プルタブのシールの上を流路パネルが覆うので、確実に比較的機械的に弱い注出口付近を保護することができ、信頼性の高い容器とすることができる。
上述のように、紙などのパネルと用いるので、プラスチックキャップ／注出口栓に比べて、環境負荷も小さく、簡単で安価な構造で容器の開封・再栓を可能にし、注ぎ易い包装容器を提供することができる。
【図面の簡単な説明】
【００１９】
【図１】この発明による包装容器の第１実施例を示す注出時の部分斜視図である。
【図２】この発明による包装容器の第１実施例を示す封止時の部分斜視図である。
【図３】第１実施例の注出口パネルの展開図である。
【図４】この発明による包装容器の第２実施例を示す封止時の部分斜視図である。
【図５】この発明による包装容器の第２実施例を示す注出時の部分斜視図である。
【図６】この発明による包装容器の第３実施例を示す封止時の部分斜視図である。
【図７】この発明による包装容器の第３実施例を示す再封止時の部分斜視図である。
【図８】この発明による包装容器の第４実施例を示す封止時の部分斜視図である。
【図９】この発明による包装容器の第４実施例を示す注出時の部分斜視図である。
【図１０】この発明による包装容器の第４実施例を示す再封止時の部分斜視図である。
【図１１】第４実施例の注出口パネルの展開図である。
【図１２】この発明による包装容器の注出口による開口の第１の開封方法を示す断面図である。
【図１３】この発明による包装容器の注出口による開口の第２の開封方法を示す断面図である。
【図１４】レンガ状包装容器（Ａ）、ゲーブルトップ屋根型容器（Ｂ）及び片流れ屋根型容器（Ｃ）の斜視図である。
【図１５】この発明による包装容器の製造法で使用することができる包装充填装置の概略図である。
【発明を実施するための形態】
【００２０】
以下、本発明の実施の形態について図面を参照しながら詳細に説明する。
図１５に示される包装充填装置例によって、この形態を説明する。この装置例では、ウェブ状の包装積層材料１は、リール状で包装充填装置に収容される。包装積層材料１は、紙基材、及び該紙基材の両面にポリエチレン樹脂が積層された可撓性の積層体から成り、紙基材とフィルムとの間にアルミニウム箔などのバリア層が形成され、包装容器の表面に相当する部分にあらかじめ外装用の印刷が施される。
注出口パネルは、紙／プラスチック基材、熱可塑性樹脂内外層、及び、必要に応じてバリア層からなる。
【００２１】
繰り出された包装積層材料１は、搬送手段によって連続的に搬送され、包装充填に供される。
包装積層材料１は、ストリップ貼着装置３に送られ、ストリップ貼着装置によって包装積層材料１の一方の縁部に沿ってストリップ２が貼着される。
包装積層材料１は、殺菌槽４に送られ、殺菌槽４において過酸化水素等の殺菌液によって殺菌される。包装積層材料１は、エアナイフに送られ、エアナイフによって乾燥させられた後、無菌室１６に送られる。包装積層材料１は、成形リング６によって徐々に変形させられてチューブ状の形状にされる。
【００２２】
チューブ状に成形された包装積層材料の両縁部同士を、縦シール装置８によってストリップと共に押し当てて縦シールする。更に、充填パイプ７を介して供給された流動／液体食品がチューブ状包装積層材料１内に充填される。
チューブ状包装積層材料は、ローラによって案内され、横方向に横シール装置１０によって横シールされ、横シールされた包装積層材料は、ナイフなどで切断されて枕状包装体１３が形成される。
枕状包装体１３は、最終形状成形装置１５で最終の形状に成形され、流動性食品を収容する包装容器１４が得られる。
【００２３】
この形態による包装容器の注出口は、上記包装充填装置の中で、又は上記包装充填装置の下流側の装置外で、若しくは、上記包装充填装置の中と装置の上流／下流側の装置外とで、形成される。
例えば、図１２（Ａ）に示すように、頂壁の開口用のパンチ穿孔及びインナーテープ３２の貼着を上記装置内で行い、折畳まれた注出口パネルによる注出口３０を、開口３１にヒートシールすることにより、設けることができる。
他の方法として、図１３（Ａ）頂壁の開口用のパンチ穿孔、インナーテープ３２の貼着及びプルタブフィルム３３の貼着シールを上記装置内で行い、折畳まれた注出口パネルによる注出口３０を、プルタブ３３でシールされた開口３１を覆いその近傍にシールすることにより、設けることができる。
更に別の方法として、包装充填装置の上流の包装材料製造工程で、開口用のパンチ穿孔、プラスチック層の積層を行い、折畳まれた注出口パネルによる注出口３０を、図１２（Ａ）に示すように、開口３１にヒートシールすることにより、又は、シールされた開口を覆いその近傍にシールすることにより、設けることができる。
【００２４】
図１、図２、図３に示す第１実施例において、注出口パネル３０が、開口を覆い、注出流路を形成する流路パネル３４と、流路パネル３４の両側に隣接し、流路の側壁を形成する２枚の側壁パネル３５、３５と、流路パネル３４の下端に隣接し、注出口を下端で容器器壁に接合させる下端シールパネル３６と、側壁パネル３５それぞれの下側端に隣接し、注出口を側方で頂壁に接合させる２枚の側方シールパネル３７、３７とからなる。
図２に示すように、注出口パネル３０が、下端シールパネル３６が開口３１の縁で容器器壁２５に接合させ、側方シールパネル３７、３７が開口３１を側方で頂壁２６に接合させ、側壁パネル３５を中央で折畳んで流路パネル３４を開口３１の上に覆って形成される。
注出口の使用時は、図１に示すように、流路パネル３４の上部、又は上端の部分を把持して持ち上げ、開口３１上の覆い（流路パネル）を取り、引き上げる。それと同時に、折畳まれて平坦な側壁パネル３５、３５それぞれが広がって立ち上がっていく。流路パネル３４を引き上げると、側壁パネル３５、３５が流路の側壁を形成すると共に、流路も形成される。
下端シールパネル３６が、流路パネル３４の下端をシールし、側方シールパネル３７が、側壁パネル３５下部と頂壁２６とをシールして、必要なシールを得る。
【００２５】
この態様において、流路パネルが、上端に、注出時に流路パネルの傾斜角より大きい傾斜角を持つ流路補助パネル３９を備え、流路補助パネルが再封止時に折畳まれたフィンに係止される。
流路補助パネル３９、注出時に流路パネルの傾斜角より大きい傾斜角を持つので、内容溶液が、注出時に流路パネルから流路補助パネルを経て乱れることなく、注ぐことができる。
流路補助パネルが再封止時に折畳まれたフィンに係止されるので、流路パネルで確実に開口を覆うことができる。
【００２６】
図４、図５に示す第２実施例において、図５に示すように、注出口パネル３０が、下端シールパネル３６が開口３１の縁で容器器壁２５に接合させ、側方シールパネル３７、３７が開口３１を側方で頂壁２６に接合させ、側壁パネル３５を中央で折畳んで流路パネル３４を開口３１の上に覆って形成される。
注出口の使用時は、図４に示すように、流路パネル３４の上部、又は上端の部分を把持して持ち上げ、開口３１上の覆い（流路パネル）を取り、引き上げる。それと同時に、折畳まれて平坦な側壁パネル３５、３５それぞれが広がって立ち上がっていく。流路パネル３４を引き上げると、側壁パネル３５、３５が流路の側壁を形成すると共に、流路も形成される。
下端シールパネル３６が、流路パネル３４の下端をシールし、側方シールパネル３７が、側壁パネル３５下部と頂壁２６とをシールして、必要なシールを得る。
【００２７】
この態様において、流路パネル３４が、両方の下端から中央の上端に向けて、２本の折目線３８を備え、注出時に流路パネルが断面V字状に形成される。
２本の折目線３８を折って、注出時に流路パネルを断面V字状に形成して、内容液が跳ねることなく整流で注がれる。
【００２８】
図６、図７に示す第３実施例において、図６に示すように、注出口パネル３０が、下端シールパネル３６が開口３１の縁で容器器壁２５に接合させ、側方シールパネルが開口３１を側方で頂壁２６に接合させ、側壁パネル３５を中央で折畳んで流路パネル３４を開口３１の上に覆って形成される。
注出口の使用時は、流路パネル３４の上部、又は上端の部分を把持して持ち上げ、開口３１上の覆い（流路パネル）を取り、引き上げる。それと同時に、折畳まれて平坦な側壁パネル３５、３５それぞれが広がって立ち上がっていく。流路パネル３４を引き上げると、側壁パネル３５、３５が流路の側壁を形成すると共に、流路も形成される。
【００２９】
この態様において、流路パネルが流路補助パネル３９を備えると共に、図７に示すように、流路補助パネル３９が、再封止時に折畳まれたフィン２１に係止されるので、流路パネル３４で確実に開口３１を覆うことができる。
【００３０】
図８、図９、図１０に示す第４実施例において、注出口パネル３０が、開口を覆い、注出流路を形成する流路パネル３４と、流路パネル３４の両側に隣接し、流路の側壁を形成する２枚の側壁パネル３５、３５と、流路パネル３４の下端に隣接し、注出口を下端で容器器壁に接合させる下端シールパネル３６と、側壁パネル３５それぞれの下側端に隣接し、注出口を側方で頂壁に接合させる２枚の側方シールパネル３７、３７とからなる。
図８に示すように、注出口パネル３０が、下端シールパネル３６が開口３１の縁で容器器壁２５に接合させ、側方シールパネル３７、３７が開口３１を側方で頂壁２６に接合させ、側壁パネル３５を中央で折畳んで流路パネル３４を開口３１の上に覆って形成される。
注出口の使用時は、図９に示すように、流路パネル３４の上部、流路補助パネル３９の部分を把持して持ち上げ、開口３１上の覆い（流路パネル）を取り、引き上げる。それと同時に、折畳まれて平坦な側壁パネル３５、３５それぞれが広がって立ち上がっていく。流路パネル３４を引き上げると、側壁パネル３５、３５が流路の側壁を形成すると共に、流路も形成される。
下端シールパネル３６が、流路パネル３４の下端をシールし、側方シールパネル３７が、側壁パネル３５下部と頂壁２６とをシールして、必要なシールを得る。
【００３１】
この態様において、流路パネルが流路補助パネル３９を備えると共に、図１０に示すように、流路補助パネル３９が、再封止時に折畳まれたフィン２１に係止部４０によって係止されるので、流路パネル３４で確実に開口３１を覆うことができる。
【００３２】
図１２（Ａ）に示す態様において、流路パネル３４が開口３１を上方からシールし、インナーテープ３２が開口３１を下からシールし、開口３１内で流路パネル３４下面とインナーテープ３１とが溶着して、容器開口３１を封止する。
開口内で流路パネル３４下面とインナーテープ３２とが溶着しているので、開封時に流路パネルを引き上げるだけの、ワンアクションで開封が可能となる。
注出口の使用時の開封は、流路パネル３４の上部、又は上端の部分を把持して持ち上げ、開口３１上の覆い（流路パネル）を取り、図１２（Ｂ）に示すように、それに伴って、インナーテープも引張られ、薄くて弱いインナーテープが破断する。
【００３３】
図１３（Ａ）に示す態様において、流路パネル３４が、プルタブフイルム３３を上方から覆い、プルタブフィルム３３が開口３１を上からシールし、インナーテープ３２が開口３１を下からシールし、開口内でプルタブフイルム３３とインナーテープ３２とが溶着して、容器開口を封止する。
プルタブ３３のシールの上を流路パネル３４が覆うので、確実に比較的機械的に弱い注出口３０付近を保護することができ、信頼性の高い容器とすることができる。
注出口の使用時の開封は、流路パネル３４の上部、又は上端の部分を把持して持ち上げ、プルタブフイルム３３の上から覆いを取り、更に、プルタブフイルム３３を引き上げ、開口３１上のシールを取り、図１３（Ｂ）に示すように、それに伴って、インナーテープ３２も引張られ、薄くて弱いインナーテープ３２が破断する。
【００３４】
なお、本発明は前記実施の形態に限定されるものではなく、本発明の趣旨に基づいて種々変形させることが可能であり、それらを本発明の範囲から排除するものではない。
【産業上の利用可能性】
【００３５】
この発明は、液体食品の包装充填の製造に適用することができる。
【符号の説明】
【００３６】
２５  容器器壁
２６  頂壁
３０  注出口、注出口パネル
３１  開口
３４  流路パネル
３５  側壁パネル
３６  下端シールパネル
３７  側方シールパネル
３９  流路補助パネル
【図１】
2012144297.tif 000003
【図２】
2012144297.tif 000004
【図３】
2012144297.tif 000005
【図４】
2012144297.tif 000006
【図５】
2012144297.tif 000007
【図６】
2012144297.tif 000008
【図７】
2012144297.tif 000009
【図８】
2012144297.tif 000010
【図９】
2012144297.tif 000011
【図１０】
2012144297.tif 000012
【図１１】
2012144297.tif 000013
【図１２】
2012144297.tif 000014
【図１３】
2012144297.tif 000015
【図１４】
2012144297.tif 000016
【図１５】
2012144297.tif 000017